(57)【要約】      （修正有）【課題】ダイレーターおよびカテーテル導入システムを提供する。【解決手段】ダイレーターシステムは、ダイレーター管腔を備えるダイレーター１０３と、該ダイレーター管腔を位置決めするための１つまたは複数のコア１０２とを備える。カテーテル導入システム２００は、その内部にダイレーターの少なくとも一部を収納するように動作可能なシース管腔を備えるシースを更に備える。各コアは、ダイレーターに曲率を付与する、ダイレーターの曲げ抵抗を変更する、またはそれらの組み合わせを行う。【選択図】図４Ｂ
2019141607.tif 000002
【特許請求の範囲】
【請求項１】
カテーテル導入システムのシースであって、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シースは、剛性が異なる１つまたは複数の領域を備え、
前記シースは、該シースの遠位端に位置するシース遠位先端部を備え、
前記シース遠位先端部は、剛性が異なる近隣の領域よりも剛性が高い、
前記カテーテル導入システムのシース。
【請求項２】
前記シース遠位先端部は、該シース遠位先端部が血管の屈曲部を縦走するのを大幅に妨害しないように十分に短いが、顕著な楕円化を防ぐべく前記シース遠位先端部を支持するには十分に長い長さを画定する、請求項１に記載のカテーテル導入システムのシース。
【請求項３】
前記シース遠位先端部は、補強バンドを備え、
前記補強バンドは、その補強バンドの近隣部の剛性よりも高い剛性を与えるよう動作可能であり、
前記補強バンドは、前記シース遠位先端部が血管の屈曲部を縦走するときに、該シース遠位先端部の楕円化を実質的に防止するように動作可能である、請求項２に記載のカテーテル導入システムのシース。
【請求項４】
前記シース遠位先端部は、約1mm〜約10mmの長さを画定する、請求項１に記載のカテーテル導入システムのシース。
【請求項５】
前記シース先端部は、約45〜約90のデュロメータ硬さを有する、請求項４に記載のカテーテル導入システムのシース。
【請求項６】
前記シース近位端は、第１長を画定し、
前記シースは、前記シース近位端と前記シース遠位端との間に中央部分を更に画定し、
該中央部分は、前記第１長より低い剛性を有する第２長を画定し、
前記シース遠位端は、前記中央部分より高い剛性を有する第３長を画定する、
請求項１に記載のカテーテル導入システムのシース。
【請求項７】
Shore D基準での測定で、第２長のデュロメータ硬さは約30〜約50であり、かつ、第３長のデュロメータ硬さは約60〜90である、請求項６に記載のカテーテル導入システムのシース。
【請求項８】
Shore D基準での測定で、第１長のデュロメータ硬さは約40〜約60であり、第２長のデュロメータ硬さは約30〜約50であり、かつ、第３長のデュロメータ硬さは約60〜90である、請求項６に記載のカテーテル導入システムのシース。
【請求項９】
第１長および第２長はそれぞれ約10cm〜約100cmの長さである、請求項８に記載のカテーテル導入システムのシース。
【請求項１０】
前記シースは、約1mm〜約10mmの直径を有する、請求項１に記載のカテーテル導入システムのシース。
【請求項１１】
前記シースは、X線画像における可視化を補助するための１つまたは複数の放射線不透過性マーカーを更に備える、請求項１に記載のカテーテル導入システムのシース。
【請求項１２】
血管にアクセスするためのカテーテル導入システムであって、
前記カテーテル導入システムは、ダイレーター、コア、及びシースを備え、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、コア近位端および該コア近位端と反対側のコア遠位端を備える細長い管状部材であり、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シース管腔は、その内部に前記ダイレーターを摺動的に収納し、前記シースが該ダイレーター沿いに前進できるよう動作可能であり、
ここで、前記シースが、前記コアにより付与された前記ダイレーターの曲率に沿ってトラックするよう動作可能なように、該ダイレーターとそれを支持する該コアとの組み合わせにより前記コアカーブに十分な剛性を与える、
前記カテーテル導入システム。
【請求項１３】
前記コアカーブは直線的である、請求項１２に記載のカテーテル導入システム。
【請求項１４】
前記コアカーブは平面的である、請求項１３に記載のカテーテル導入システム。
【請求項１５】
前記コアカーブは三次元的である、請求項１３に記載のカテーテル導入システム。
【請求項１６】
各々が異なる曲率半径を有する異なるコアカーブを画定する複数のコアを更に含む、請求項１２に記載のカテーテル導入システム。
【請求項１７】
前記コアカーブは、血管内の屈曲部をトラックするために、ダイレーターを支持する特定の目的に適切な任意の形状を画定する、請求項１２に記載のカテーテル導入システム。
【請求項１８】
前記１つまたは複数のコアカーブは、直線〜約125mmの曲率半径を有する、請求項１２に記載のカテーテル導入システム。
【請求項１９】
前記コア遠位端は、ユーザによりカーブの形状とすることができる、請求項１２に記載のカテーテル導入システム。
【請求項２０】
前記コアは操舵可能である、請求項１２に記載のカテーテル導入システム。
【請求項２１】
前記コアは、熱可塑性物質および金属の１つまたは複数を含む、請求項１２に記載のカテーテル導入システム。
【請求項２２】
前記コアは、ナイロンを含む、請求項２１に記載のカテーテル導入システム。
【請求項２３】
前記コアは、ニチノールを含む、請求項２１に記載のカテーテル導入システム。
【請求項２４】
前記コアは、１つまたは複数の放射線不透過性マーカーを更に備える、請求項１２に記載のカテーテル導入システム。
【請求項２５】
前記１つまたは複数の放射線不透過性マーカーは、コア遠位端、コアカーブ、およびコア近位端のうちの１つまたは複数に位置する、請求項２４に記載のカテーテル導入システム。
【請求項２６】
前記ダイレーター管腔は、約0.5mm〜約5mmの直径を有する、請求項１２に記載のカテーテル導入システム。
【請求項２７】
前記ダイレーター遠位端は、ダイレーター遠位先端部を更に備え、該ダイレーター遠位先端部は、約1cm〜約10cmの長さを有する、請求項１２に記載のカテーテル導入システム。
【請求項２８】
前記ダイレーター遠位先端部は、前記コアの直径より小さい直径を有するダイレーター先端部の管腔を画定し、該コアが該ダイレーター遠位先端部から飛び出ないようになっている、請求項２７に記載のカテーテル導入システム。
【請求項２９】
前記ダイレーターを前記コアに連結する手段を更に備える、請求項１２に記載のカテーテル導入システム。
【請求項３０】
前記ダイレーターを前記コアに連結する前記手段は、前記ダイレーター近位端に連結したハブであって前記コアと連結するように動作可能である前記ハブを備える、請求項２９に記載のカテーテル導入システム。
【請求項３１】
前記コアおよび前記ダイレーターは、ユーザが利用する際にねじれ応答を容易にするよう動作可能な協調的な要素（cooperative element）を更に備える、請求項１２に記載のカテーテル導入システム。
【請求項３２】
前記協調的な要素は、鍵構造である、請求項３１に記載のカテーテル導入システム。
【請求項３３】
前記鍵構造は、相互的なオス/メスの畝/溝構造を備える、請求項３２に記載のカテーテル導入システム。
【請求項３４】
前記ダイレーターは、放射線不透過性マーカーを更に備える、請求項１２に記載のカテーテル導入システム。
【請求項３５】
前記ダイレーターは、血管を拡張するのに十分な剛性であるが、血管を損傷したり又は血管の屈曲部内において前記コアによる案内ができなくなるほど高い剛性ではない材料特性を備える、請求項１２に記載のカテーテル導入システム。
【請求項３６】
前記ダイレーター遠位端を血管の屈曲部に通して案内するのに十分な特定のカーブ構成で前記コアカーブが前記ダイレーター遠位端を支持できるように、前記コアの剛性が前記ダイレーターの剛性よりも高い、請求項１２に記載のカテーテル導入システム。
【請求項３７】
前記シース遠位端を前記コアカーブに沿って血管の屈曲部に通して案内するのに十分な特定のカーブ構成で前記コアが前記ダイレーター遠位端を支持できるように、前記コアの剛性が前記ダイレーターの剛性よりも高い、請求項１２に記載のカテーテル導入システム。
【請求項３８】
前記シース遠位端は、前記ダイレーターとの接続部まで先細になっているシース遠位先端部を備える、請求項１２に記載のカテーテル導入システム。
【請求項３９】
前記シース遠位先端部は、前記シース遠位端の他の部分の剛性より高い剛性を有する、請求項３８に記載のカテーテル導入システム。
【請求項４０】
前記シース遠位先端部は、該シース遠位先端部が血管内の屈曲部を縦走するのを大幅に妨害しないように十分に短いが、顕著な楕円化を防ぐべく前記シース遠位先端部を支持するには十分に長い長さを画定する、請求項３８に記載のカテーテル導入システム。
【請求項４１】
前記シース遠位先端部は、補強バンドを備え、
前記補強バンドは、該補強バンドの近隣部の剛性よりも高い剛性を与えるよう動作可能であり、
前記補強バンドは、前記シース遠位先端部が血管の屈曲部を縦走するときに、該シース遠位先端部の楕円化を実質的に防止するように動作可能である、請求項４０に記載のカテーテル導入システム。
【請求項４２】
前記シース遠位先端部は、約1mm〜約10mmの長さを画定する、請求項４０に記載のカテーテル導入システム。
【請求項４３】
前記シース先端部は、約45〜約90のデュロメータ硬さを有する、請求項４２に記載のカテーテル導入システム。
【請求項４４】
前記シース近位端は第１長を画定し、
前記シースは、前記シース近位端と前記シース遠位端との間に中央部分を更に画定し、
該中央部分は、前記第１長よりも低い剛性を有する第２長を画定し、
前記シース遠位端は、前記中央部分より高い剛性を有する第３長を画定する、
請求項３８に記載のカテーテル導入システム。
【請求項４５】
Shore D基準での測定で、第２長のデュロメータ硬さは約30〜約50であり、かつ、第３長のデュロメータ硬さは約60〜90である、請求項４４に記載のカテーテル導入システム。
【請求項４６】
Shore D基準での測定で、第１長のデュロメータ硬さは約40〜約60であり、第２長のデュロメータ硬さは約30〜約50であり、かつ、第３長のデュロメータ硬さは約60〜90である、請求項４４に記載のカテーテル導入システム。
【請求項４７】
第１長および第２長はそれぞれ約10cm〜約100cmの長さである、請求項４６に記載のカテーテル導入システム。
【請求項４８】
前記シースは、約1mm〜約10mmの直径を有する、請求項３８に記載のカテーテル導入システム。
【請求項４９】
前記シースは、X線画像における可視化を補助するための１つまたは複数の放射線不透過性マーカーを更に備える、請求項３８に記載のカテーテル導入システム。
【請求項５０】
前記ダイレーター遠位端は、前記シース遠位端から所定の距離延伸するように動作可能で、これにより細長いダイレーター遠位領域を画定し、該細長いダイレーター遠位領域は、前記コア遠位端が前記細長いダイレーター遠位領域に挿入されたときカーブを付与することができるよう適切な長さを有する、請求項１２に記載のカテーテル導入システム。
【請求項５１】
前記細長いダイレーター遠位領域は、約5cm〜約12cmの長さを有する、請求項５０に記載のカテーテル導入システム。
【請求項５２】
前記ダイレーターを前記コアおよび前記シースのうちの１つまたは複数に連結する手段を更に備える、請求項１２に記載のカテーテル導入システム。
【請求項５３】
前記ダイレーターを前記コアおよび前記シースのうちの１つまたは複数に連結する手段は、前記ダイレーター近位端に連結したハブであって前記コアおよび前記シースのうちの１つまたは複数と連結するように動作可能な前記ハブを備える、請求項５２に記載のカテーテル導入システム。
【請求項５４】
血管にアクセスするためのカテーテル導入ガイドワイヤシステムであって、
前記カテーテル導入ガイドワイヤシステムは、ダイレーター、コア、シース、及びガイドワイヤを備え、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、コア管腔を画定する細長い管状部材であり、
前記コアは、コア近位端および該コア近位端と反対側のコア遠位端を備え、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シース管腔は、その内部に前記ダイレーターを摺動的に収納し、前記シースが該ダイレーター沿いに前進できるよう動作可能であり、
ここで、前記シースが、前記コアにより付与された前記ダイレーターの曲率に沿ってトラックするよう動作可能なように、該ダイレーターとそれを支持する該コアとの組み合わせにより前記コアカーブに十分な剛性を与え、
前記ガイドワイヤは、蛇行血管を縦走するように動作可能な細長い部材であり、
前記コア管腔は、その内部に前記ガイドワイヤを収納するように動作可能であり、かつ、前記コアは、該ガイドワイヤに沿って前進するように動作可能である、
前記カテーテル導入ガイドワイヤシステム。
【請求項５５】
前記コアカーブは直線的である、請求項５４に記載のカテーテル導入ガイドワイヤシステム。
【請求項５６】
前記コアカーブは平面的である、請求項５４に記載のカテーテル導入ガイドワイヤシステム。
【請求項５７】
前記コアカーブは三次元的である、請求項５４に記載のカテーテル導入ガイドワイヤシステム。
【請求項５８】
各々が異なる曲率半径を有する異なるコアカーブを画定する複数のコアを更に含む、請求項５４に記載のカテーテル導入ガイドワイヤシステム。
【請求項５９】
前記コアカーブは、血管内の屈曲部をトラックするために、ダイレーターを支持する特定の目的に適切な任意の形状を画定する、請求項５４に記載のカテーテル導入ガイドワイヤシステム。
【請求項６０】
前記１つまたは複数のコアカーブは、直線〜約125mmの曲率半径を有する、請求項５４に記載のカテーテル導入ガイドワイヤシステム。
【請求項６１】
前記コア遠位端は、ユーザによりカーブの形状とすることができる、請求項５４に記載のカテーテル導入ガイドワイヤシステム。
【請求項６２】
前記コアは操舵可能である、請求項５４に記載のカテーテル導入ガイドワイヤシステム。
【請求項６３】
前記コアは、熱可塑性物質および金属の１つまたは複数を含む、請求項５４に記載のカテーテル導入ガイドワイヤシステム。
【請求項６４】
前記コアは、ナイロンを含む、請求項６３に記載のカテーテル導入ガイドワイヤシステム。
【請求項６５】
前記コアは、ニチノールを含む、請求項６３に記載のカテーテル導入ガイドワイヤシステム。
【請求項６６】
前記コアは、１つまたは複数の放射線不透過性マーカーを更に備える、請求項５４に記載のカテーテル導入ガイドワイヤシステム。
【請求項６７】
前記１つまたは複数の放射線不透過性マーカーは、コア遠位端、コアカーブ、およびコア近位端のうちの１つまたは複数に位置する、請求項６６に記載のカテーテル導入ガイドワイヤシステム。
【請求項６８】
前記ダイレーター管腔は、約0.5mm〜約5mmの直径を有する、請求項５４に記載のカテーテル導入ガイドワイヤシステム。
【請求項６９】
前記ダイレーター遠位端は、ダイレーター遠位先端部を更に備え、該ダイレーター遠位先端部は、約1cm〜約10cmの長さを有する、請求項５４に記載のカテーテル導入ガイドワイヤシステム。
【請求項７０】
前記ダイレーター遠位先端部は、前記コアの直径より小さい直径を有するダイレーター先端部の管腔を画定し、該コアが該ダイレーター遠位先端部から飛び出ないようになっている、請求項６９に記載のカテーテル導入ガイドワイヤシステム。
【請求項７１】
前記ダイレーターを前記コアに連結する手段を更に備える、請求項５４に記載のカテーテル導入ガイドワイヤシステム。
【請求項７２】
前記ダイレーターを前記コアに連結する前記手段は、前記ダイレーター近位端に連結したハブであって前記コアと連結するように動作可能である前記ハブを備える、請求項７１に記載のカテーテル導入ガイドワイヤシステム。
【請求項７３】
前記コアおよび前記ダイレーターは、ユーザが利用する際にねじれ応答を容易にするよう動作可能な協調的な要素を更に備える、請求項５４に記載のカテーテル導入ガイドワイヤシステム。
【請求項７４】
前記協調的な要素は、鍵構造である、請求項７３に記載のカテーテル導入ガイドワイヤシステム。
【請求項７５】
前記鍵構造は、相互的なオス/メスの畝/溝構造を備える、請求項７４に記載のカテーテル導入ガイドワイヤシステム。
【請求項７６】
前記ダイレーターは、放射線不透過性マーカーを更に備える、請求項５４に記載のカテーテル導入ガイドワイヤシステム。
【請求項７７】
前記ダイレーターは、血管を拡張するのに十分な剛性であるが、血管を損傷したり又は血管の屈曲部内において前記コアによる案内ができなくなるほど高い剛性ではない材料特性を備える、請求項５４に記載のカテーテル導入ガイドワイヤシステム。
【請求項７８】
前記ダイレーター遠位端を血管の屈曲部に通して案内するのに十分な特定のカーブ構成で前記コアカーブが前記ダイレーター遠位端を支持できるように、前記コアの剛性が前記ダイレーターの剛性よりも高い、請求項５４に記載のカテーテル導入ガイドワイヤシステム。
【請求項７９】
前記シース遠位端を前記コアカーブに沿って血管の屈曲部に通して案内するのに十分な特定のカーブ構成で前記コアが前記ダイレーター遠位端を支持できるように、前記コアの剛性が前記ダイレーターの剛性よりも高い、請求項５４に記載のカテーテル導入ガイドワイヤシステム。
【請求項８０】
前記シース遠位端は、前記ダイレーターとの接続部まで先細になっているシース遠位先端部を備える、請求項５４に記載のカテーテル導入ガイドワイヤシステム。
【請求項８１】
前記シース遠位先端部は、前記シース遠位端の他の部分の剛性より高い剛性を有する、請求項８０に記載のカテーテル導入ガイドワイヤシステム。
【請求項８２】
前記シース遠位先端部は、該シース遠位先端部が血管内の屈曲部を縦走するのを大幅に妨害しないように十分に短いが、顕著な楕円化を防ぐべく前記シース遠位先端部を支持するには十分に長い長さを画定する、請求項８０に記載のカテーテル導入ガイドワイヤシステム。
【請求項８３】
前記シース遠位先端部は、補強バンドを備え、
前記補強バンドは、該補強バンドの近隣部の剛性よりも高い剛性を与えるよう動作可能であり、
前記補強バンドは、前記シース遠位先端部が血管の屈曲部を縦走するときに、該シース遠位先端部の楕円化を実質的に防止するように動作可能である、請求項８２に記載のカテーテル導入ガイドワイヤシステム。
【請求項８４】
前記シース遠位先端部は、約1mm〜約10mmの長さを画定する、請求項８１に記載のカテーテル導入ガイドワイヤシステム。
【請求項８５】
前記シース先端部は、約45〜約90のデュロメータ硬さを有する、請求項８４に記載のカテーテル導入ガイドワイヤシステム。
【請求項８６】
前記シース近位端は第１長を画定し、
前記シースは、前記シース近位端と前記シース遠位端との間に中央部分を更に画定し、
該中央部分は、前記第１長よりも低い剛性を有する第２長を画定し、
前記シース遠位端は、前記中央部分より高い剛性を有する第３長を画定する、
請求項８０に記載のカテーテル導入ガイドワイヤシステム。
【請求項８７】
Shore D基準での測定で、第２長のデュロメータ硬さは約30〜約50であり、かつ、第３長のデュロメータ硬さは約60〜90である、請求項８６に記載のカテーテル導入ガイドワイヤシステム。
【請求項８８】
Shore D基準での測定で、第１長のデュロメータ硬さは約40〜約60であり、第２長のデュロメータ硬さは約30〜約50であり、かつ、第３長のデュロメータ硬さは約60〜90である、請求項８６に記載のカテーテル導入ガイドワイヤシステム。
【請求項８９】
第１長および第２長はそれぞれ約10cm〜約100cmの長さである、請求項８８に記載のカテーテル導入ガイドワイヤシステム。
【請求項９０】
前記シースは、約1mm〜約10mmの直径を有する、請求項８０に記載のカテーテル導入ガイドワイヤシステム。
【請求項９１】
前記シースは、X線画像における可視化を補助するための１つまたは複数の放射線不透過性マーカーを更に備える、請求項８０に記載のカテーテル導入ガイドワイヤシステム。
【請求項９２】
前記ダイレーター遠位端は、前記シース遠位端から所定の距離延伸するように動作可能で、これにより細長いダイレーター遠位領域を画定し、該細長いダイレーター遠位領域は、前記コア遠位端が前記細長いダイレーター遠位領域に挿入されたときカーブを付与することができるよう適切な長さを有する、請求項５４に記載のカテーテル導入ガイドワイヤシステム。
【請求項９３】
前記細長いダイレーター遠位領域は、約5cm〜約35cmの長さを有する、請求項９２に記載のカテーテル導入ガイドワイヤシステム。
【請求項９４】
前記ダイレーターを前記コアおよび前記シースのうちの１つまたは複数に連結する手段を更に備える、請求項５４に記載のカテーテル導入ガイドワイヤシステム。
【請求項９５】
前記ダイレーターを前記コアおよび前記シースのうちの１つまたは複数に連結する手段は、前記ダイレーター近位端に連結したハブであって前記コアおよび前記シースのうちの１つまたは複数と連結するように動作可能な前記ハブを備える、請求項９４に記載のカテーテル導入ガイドワイヤシステム。
【請求項９６】
血管にアクセスするためのダイレーターガイドワイヤシステムであって、
前記ダイレーターガイドワイヤシステムは、ダイレーター、コア、及びガイドワイヤを備え、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、その内部にコア管腔を画定する細長い管状部材であり、
前記コアは、カーブを画定するコアカーブを備えるコア遠位端を有し、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記ガイドワイヤは、蛇行血管を縦走するように動作可能な細長い部材であり、
前記コア管腔は、その内部に前記ガイドワイヤを収納するように動作可能であり、かつ、前記コアは、該ガイドワイヤに沿って前進するように動作可能である、
前記ダイレーターガイドワイヤシステム。
【請求項９７】
前記コアカーブは直線的である、請求項９６に記載のダイレーターガイドワイヤシステム。
【請求項９８】
前記コアカーブは平面的である、請求項９６に記載のダイレーターガイドワイヤシステム。
【請求項９９】
前記コアカーブは三次元的である、請求項９６に記載のダイレーターガイドワイヤシステム。
【請求項１００】
各々が異なる曲率半径を有する異なるコアカーブを画定する複数のコアを更に含む、請求項９６に記載のダイレーターガイドワイヤシステム。
【請求項１０１】
前記コアカーブは、血管内の屈曲部をトラックするために、ダイレーターを支持する特定の目的に適切な任意の形状を画定する、請求項９６に記載のダイレーターガイドワイヤシステム。
【請求項１０２】
前記１つまたは複数のコアカーブは、直線〜約125mmの曲率半径を有する、請求項９６に記載のダイレーターガイドワイヤシステム。
【請求項１０３】
前記コア遠位端は、ユーザによりカーブの形状とすることができる、請求項９６に記載のダイレーターガイドワイヤシステム。
【請求項１０４】
前記コアは操舵可能である、請求項９６に記載のダイレーターガイドワイヤシステム。
【請求項１０５】
前記コアは、熱可塑性物質および金属の１つまたは複数を含む、請求項９６に記載のダイレーターガイドワイヤシステム。
【請求項１０６】
前記コアは、ナイロンを含む、請求項９６に記載のダイレーターガイドワイヤシステム。
【請求項１０７】
前記コアは、ニチノールを含む、請求項９６に記載のダイレーターガイドワイヤシステム。
【請求項１０８】
前記コアは、その内部でコア近位端から前記コア遠位端へと延伸するコア管腔を更に備え、
該コア管腔は、その内部にガイドワイヤを摺動的に収納し、かつ、前記コアが該ガイドワイヤに沿って前進できるようするように動作可能な直径を画定する、請求項９６に記載のダイレーターガイドワイヤシステム。
【請求項１０９】
前記コアは、１つまたは複数の放射線不透過性マーカーを更に備える、請求項９６に記載のダイレーターガイドワイヤシステム。
【請求項１１０】
前記１つまたは複数の放射線不透過性マーカーは、コア遠位端、コアカーブ、およびコア近位端のうちの１つまたは複数に位置する、請求項１０９に記載のダイレーターガイドワイヤシステム。
【請求項１１１】
前記ダイレーター管腔は、約0.5mm〜約5mmの直径を有する、請求項１１０に記載のダイレーターガイドワイヤシステム。
【請求項１１２】
前記ダイレーター遠位端は、ダイレーター遠位先端部を更に備え、該ダイレーター遠位先端部は、約1cm〜約10cmの長さを有する、請求項９６に記載のダイレーターガイドワイヤシステム。
【請求項１１３】
前記ダイレーター遠位先端部は、前記コアの直径より小さい直径を有するダイレーター先端部の管腔を画定し、該コアが該ダイレーター遠位先端部から飛び出ないようになっている、請求項１１２に記載のダイレーターガイドワイヤシステム。
【請求項１１４】
前記ダイレーターを前記コアに連結する手段を更に備える、請求項９６に記載のダイレーターガイドワイヤシステム。
【請求項１１５】
前記ダイレーターを前記コアに連結する前記手段は、前記ダイレーター近位端に連結したハブであって前記コアと連結するように動作可能である前記ハブを備える、請求項１１４に記載のダイレーターガイドワイヤシステム。
【請求項１１６】
前記コア及び前記ダイレーターは、ユーザが利用する際にねじれ応答を容易にするよう動作可能な協調的な要素を更に備える、請求項９６に記載のダイレーターガイドワイヤシステム。
【請求項１１７】
前記協調的な要素は、鍵構造である、請求項１１６に記載のダイレーターガイドワイヤシステム。
【請求項１１８】
前記鍵構造は、相互的なオス/メスの畝/溝構造を備える、請求項１１７に記載のダイレーターガイドワイヤシステム。
【請求項１１９】
前記ダイレーターは、放射線不透過性マーカーを更に備える、請求項９６に記載のダイレーターガイドワイヤシステム。
【請求項１２０】
前記ダイレーターは、血管を拡張するのに十分な剛性であるが、血管を損傷したり又は血管の屈曲部内において前記コアによる案内ができなくなるほど高い剛性ではない材料特性を備える、請求項９６に記載のダイレーターガイドワイヤシステム。
【請求項１２１】
前記ダイレーター遠位端を血管の屈曲部に通して案内するのに十分な特定のカーブ構成で前記コアカーブが前記ダイレーター遠位端を支持できるように、前記コアの剛性が前記ダイレーターの剛性よりも高い、請求項９６に記載のダイレーターガイドワイヤシステム。
【請求項１２２】
血管にアクセスするためのダイレーターシステムであって、
前記ダイレーターシステムは、ダイレーター及びコアを備え、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、コア近位端および該コア近位端と反対側のコア遠位端を備える細長い管状部材であり、
前記コアは、カーブを画定するコアカーブを備えるコア遠位端を有し、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定する、
前記ダイレーターシステム。
【請求項１２３】
前記コアカーブは直線的である、請求項１２２に記載のダイレーターシステム。
【請求項１２４】
前記コアカーブは平面的である、請求項１２２に記載のダイレーターシステム。
【請求項１２５】
前記コアカーブは三次元的である、請求項１２２に記載のダイレーターシステム。
【請求項１２６】
各々が異なる曲率半径を有する異なるコアカーブを画定する複数のコアを更に含む、請求項１２２に記載のダイレーターシステム。
【請求項１２７】
前記コアカーブは、血管内の屈曲部をトラックするために、ダイレーターを支持する特定の目的に適切な任意の形状を画定する、請求項１２２に記載のダイレーターシステム。
【請求項１２８】
前記１つまたは複数のコアカーブは、直線〜約125mmの曲率半径を有する、請求項１２２に記載のダイレーターシステム。
【請求項１２９】
前記コア遠位端は、ユーザによりカーブの形状とすることができる、請求項１２２に記載のダイレーターシステム。
【請求項１３０】
前記コアは操舵可能である、請求項１２２に記載のダイレーターシステム。
【請求項１３１】
前記コアは、熱可塑性物質および金属の１つまたは複数を含む、請求項１２２に記載のダイレーターシステム。
【請求項１３２】
前記コアは、ナイロンを含む、請求項１３１に記載のダイレーターシステム。
【請求項１３３】
前記コアは、ニチノールを含む、請求項１３１に記載のダイレーターシステム。
【請求項１３４】
前記コアは、その内部で前記コア近位端から前記コア遠位端へと延伸するコア管腔を更に備え、
該コア管腔は、その内部にガイドワイヤを摺動的に収納し、かつ、前記コアが該ガイドワイヤに沿って前進できるようするように動作可能な直径を画定する、請求項１２２に記載のダイレーターシステム。
【請求項１３５】
前記コアは、１つまたは複数の放射線不透過性マーカーを更に備える、請求項１２２に記載のダイレーターシステム。
【請求項１３６】
前記１つまたは複数の放射線不透過性マーカーは、コア遠位端、コアカーブ、およびコア近位端のうちの１つまたは複数に位置する、請求項１３５に記載のダイレーターシステム。
【請求項１３７】
前記ダイレーター管腔は、約0.5mm〜約5mmの直径を有する、請求項１２２に記載のダイレーターシステム。
【請求項１３８】
前記ダイレーター遠位端は、ダイレーター遠位先端部を更に備え、該ダイレーター遠位先端部は、約1cm〜約10cmの長さを有する、請求項１２２に記載のダイレーターシステム。
【請求項１３９】
前記ダイレーター遠位先端部は、前記コアの直径より小さい直径を有するダイレーター先端部の管腔を画定し、該コアが該ダイレーター遠位先端部から飛び出ないようになっている、請求項１３８に記載のダイレーターシステム。
【請求項１４０】
前記ダイレーターを前記コアに連結する手段を更に備える、請求項１２２に記載のダイレーターシステム。
【請求項１４１】
前記ダイレーターを前記コアに連結する前記手段は、前記ダイレーター近位端に連結したハブであって前記コアと連結するように動作可能である前記ハブを備える、請求項１４０に記載のダイレーターシステム。
【請求項１４２】
前記コア及び前記ダイレーターは、ユーザが利用する際にねじれ応答を容易にするよう動作可能な協調的な要素を更に備える、請求項１２２に記載のダイレーターシステム。
【請求項１４３】
前記協調的な要素は、鍵構造である、請求項１４２に記載のダイレーターシステム。
【請求項１４４】
前記鍵構造は、相互的なオス/メスの畝/溝構造を備える、請求項１４３に記載のダイレーターシステム。
【請求項１４５】
前記ダイレーターは、放射線不透過性マーカーを更に備える、請求項１２２に記載のダイレーターシステム。
【請求項１４６】
前記ダイレーターは、血管を拡張するのに十分な剛性であるが、血管を損傷したり又は血管の屈曲部内において前記コアによる案内ができなくなるほど高い剛性ではない材料特性を備える、請求項１２２に記載のダイレーターシステム。
【請求項１４７】
前記ダイレーター遠位端を血管の屈曲部に通して案内するのに十分な特定のカーブ構成で前記コアカーブが前記ダイレーター遠位端を支持できるように、前記コアの剛性が前記ダイレーターの剛性よりも高い、請求項１２２に記載のダイレーターシステム。
【請求項１４８】
血管内にカテーテル導入システムを位置決めする方法であって、
ダイレーター、コア、及びシースを備えるカテーテル導入システムを設ける工程、
ここで、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、コア近位端および該コア近位端と反対側のコア遠位端を備える細長い管状部材であり、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、そして、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シース管腔は、その内部に前記ダイレーターを摺動的に収納し、前記シースが該ダイレーター沿いに前進できるよう動作可能であり、
ここで、前記シースが、前記コアにより付与された前記ダイレーターの曲率に沿ってトラックするよう動作可能なように、該ダイレーターとそれを支持する該コアとの組み合わせにより前記コアカーブに十分な剛性を与える；
ガイドワイヤを、血管内に通して前進させて、血管の屈曲部を越えて位置させる工程；
前記ダイレーター遠位端を、前記血管内で前記ガイドワイヤの近位端まで前進させて、前記ガイドワイヤにより案内される前記屈曲部を越えて位置させる工程；
前記シースを、前記ダイレーターのダイレーター近位端まで前進させて、前記シース遠位端を前記屈曲部に隣接するまで前進させる工程；
コア管腔内に前記ガイドワイヤを収納させながら、コアカーブを画定する前記コアを前記ダイレーターの管腔に通して前進させ、該コアカーブを前記屈曲部内に位置させる工程；並びに、
前記屈曲部内のコアカーブの位置を保持しつつ、前記シースおよび前記ダイレーターを前記コア沿いに前進させる工程；
を含む、前記方法。
【請求項１４９】
前記コアを前記ダイレーター管腔から取り外して、前記コア管腔内に前記ガイドワイヤを収納させながら、第２のコアを該ダイレーター管腔に通して前進させて第２のコアカーブを後続する屈曲部内に位置させることを繰り返すことで、前記シースを該後続屈曲部に通して前進させる工程を更に含む、請求項１４８に記載の方法。
【請求項１５０】
血管内にカテーテル導入システムを位置決めする方法であって、
ダイレーター、コア、及びガイドワイヤを備えるカテーテル導入システムを設ける工程、
ここで、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、その内部にコア管腔を画定する細長い管状部材であり、
前記コアは、コア遠位端を有し、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記ガイドワイヤは、蛇行血管を縦走するように動作可能な細長い部材であり、
前記コア管腔は、その内部に前記ガイドワイヤを収納するように動作可能であり、かつ、前記コアは、該ガイドワイヤに沿って前進するように動作可能である；
前記ガイドワイヤを、血管内に通して前進させて、血管の屈曲部を越えて位置させる工程；
前記ダイレーター遠位端を、前記血管内で前記ガイドワイヤの近位端まで前進させて、前記ガイドワイヤにより案内される前記屈曲部を越えて位置させる工程；
シースを、前記ダイレーターのダイレーター近位端まで前進させて、シース遠位端を前記屈曲部に隣接するまで前進させる工程；
前記コア管腔に前記ガイドワイヤを収納させながら、コアカーブを画定するコアを前記ダイレーターの管腔に通して前進させて、該コアカーブを前記屈曲部内に位置させる工程；並びに、
前記屈曲部内のコアカーブの位置を保持しつつ、前記シースおよび前記ダイレーターを前記コア沿いに前進させる工程；
を含む、前記方法。
【請求項１５１】
前記コアを前記ダイレーター管腔から取り外して、前記コア管腔内に前記ガイドワイヤを収納させながら、第２のコアを該ダイレーター管腔に通して前進させて第２のコアカーブを後続する屈曲部内に位置させることを繰り返すことで、前記シースを該後続屈曲部に通して前進させる工程を更に含む、請求項１５０に記載の方法。
【請求項１５２】
血管内にカテーテル導入システムを位置決めする方法であって、
ダイレーター、コア、及びシースを備えるカテーテル導入システムを設ける工程、
ここで、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、その内部にコア近位端および該コア近位端と反対側のコア遠位端を備える細長い管状部材であり、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シース管腔は、その内部に前記ダイレーターを摺動的に収納し、前記シースが該ダイレーター沿いに前進できるよう動作可能であり、
ここで、前記シースが、前記コアにより付与された前記ダイレーターの曲率に沿ってトラックするよう動作可能なように、該ダイレーターとそれを支持する該コアとの組み合わせにより前記コアカーブに十分な剛性を与える；
前記ダイレーターを血管内に通して前進させて、前記ダイレーターのダイレーター近位端を血管内の屈曲部に隣接するまで前進させる工程；
前記シースを前記ダイレーター近位端まで前進させて、前記シース遠位端をダイレーター遠位端に隣接するまで前進させる工程；
コアカーブを画定する前記コアを前記ダイレーターの管腔内に通して前進させて、前記ダイレーター遠位端内に位置させることにより、該ダイレーター遠位端が前記屈曲部の方向に沿って前記コアカーブの形状を実質的に取るようにさせる工程；
前記ダイレーターを前記コア沿いに前記屈曲部を越えて前進させる工程；
前記コアカーブを前記ダイレーター内に通して前進させて、該コアカーブを前記屈曲部内に位置させる工程；並びに、
前記屈曲部内のコアカーブの位置を保持しつつ、前記シース遠位端および前記ダイレーターを前記コア沿いに該屈曲部を越えて前進させる工程；
を含む、前記方法。
【請求項１５３】
前記コアを前記ダイレーター管腔から取り外して、第２のコアを該ダイレーター管腔に通して前進させて第２のコアカーブを後続する屈曲部内に位置させることを繰り返すことで、前記シースを該後続屈曲部に通して前進させる工程を更に含む、請求項１５２に記載の方法。
【請求項１５４】
カテーテル導入システムを位置決めする方法であって、
ダイレーターをシース内に前進させアセンブリを形成する工程;
前記ダイレーターの管腔内で該ダイレーターに曲率を付与するのに十分な曲率を有するコアカーブを画定する第１のコアを位置決めする工程；および
前記アセンブリを血管内に挿入する工程；
を含む、前記方法。
【請求項１５５】
前記第１のコアを取り外し、第２のコアの位置決めをする工程を更に含む、請求項１５４に記載の方法。
【発明の詳細な説明】
【技術分野】
【０００１】
本開示は、ダイレーターシステムおよび方法に関する。特に、本開示は、蛇行血管を縦走（traverse）するためのダイレーターおよびカテーテル導入システム、並びに方法に関する。
【背景技術】
【０００２】
カテーテル導入システムは、体腔内の診断や治療、および医療機器や構造体を送達するために血管や臓器に導入されることが多い。利用されるカテーテル導入システムの種類は、様々な要因の中でもとりわけ、実施する医療処置、対象の体内経路、および、個々の患者の解剖学的な構造に依存する。蛇行血管とは、通常、狭くなっているおよび/または血管の経路によって逆向きに屈曲しているため、例えば、カテーテル導入システム等の体腔内用デバイスを前進させることが特に困難な血管を指す。特に蛇行血管を縦走する処置の一例として、主肺動脈への経静脈的なアクセスを大腿静脈から行うことが望ましい場合がある。
【０００３】
ダイレーターは、狭窄した血管を拡張するために、および/またはより大きな直径の腔内デバイスの導入を可能にするために使用される。ダイレーターは、蛇行屈曲部をナビゲートする能力が限定的である。ガイドワイヤが特定の屈曲部を縦走することができても、ダイレーターおよびシースシステムがガイドワイヤをトラック（track）しその特定の屈曲部を縦走できないことがある。従来技術のダイレーターおよびシースシステムは、単一のユニットとして前進させるように設計されている。関連するシースよりも実質的に長くないダイレーターを組み合わせたこの操作方法では、ガイドワイヤとダイレーターおよびシースシステムとでは曲げ剛性が非常に異なる。安定的に経路を示すガイドワイヤではなく、ダイレーターおよびシースによって、ガイドワイヤの位置がずれてしまうことがある。更に、シースの先端部が血管に当たって血管を損傷してしまうこともある。当該技術分野において必要なのは、蛇行血管を縦走することが可能なダイレーターシステムおよび蛇行血管を縦走することが可能なダイレーターシステムを備えるカテーテル導入システムである。
【発明の概要】
【０００４】
実施形態は、血管にアクセスするためのダイレーターシステムに関する。ダイレーターシステムは、ダイレーターおよびコアを備える。ダイレーターは、ダイレーター管腔を画定する細長い管状部材である。コアは、ダイレーターに曲率を付与する、ダイレーターの曲げ抵抗を変更する、またはそれらの組み合わせのために、ダイレーター管腔内において位置決めするように動作可能な細長い部材である。
【０００５】
実施形態は、血管にアクセスするためのカテーテル導入システムに関する。カテーテル導入システムは、ダイレーター、コア、およびシースを備える。ダイレーターは、ダイレーター管腔を画定する細長い管状部材である。コアは、ダイレーターに曲率を付与する、ダイレーターの曲げ抵抗を変更する、またはそれらの組み合わせのために、ダイレーター管腔内で位置決めするように動作可能な細長い部材である。シースは、シース近位端および該シース近位端と反対側のシース遠位端を備える細長い管状部材である。シースは、その内部でシース近位端からシース遠位端へと延伸するシース管腔を画定する。シース管腔は、その内部にダイレーターを摺動的に収納し、シースがダイレーター沿いに前進できるよう動作可能である。シースは、コアにより付与されたダイレーターの曲率に沿ってトラックするように動作可能である。
【０００６】
実施形態は、血管にアクセスするためのカテーテル導入ガイドワイヤシステムに関する。カテーテル導入ガイドワイヤシステムは、上記カテーテル導入システムおよびガイドワイヤを備える。コアは、コア管腔を画定する細長い部材である。コア管腔は、その内部にガイドワイヤを収納するように動作可能であり、コアは、ガイドワイヤに沿って前進するように動作可能である。
【０００７】
実施形態は、血管にアクセスするためのダイレーターガイドワイヤシステムに関する。ダイレーターガイドワイヤシステムは、上記ダイレーターシステムおよびガイドワイヤを備える。コアは、コア管腔を画定する細長い部材である。コア管腔は、その内部にガイドワイヤを収納するように動作可能であり、コアは、ガイドワイヤに沿って前進するように動作可能である。
【０００８】
実施形態は、カテーテル導入システムのシースに関する。シースは、シース近位端および該シース近位端と反対側のシース遠位端を備える細長い管状部材である。シースは、その内部でシース近位端からシース遠位端へと延伸するシース管腔を画定する。シースは、剛性（stiffness）が異なる１つまたは複数の領域を備える。シースは、シースの遠位端に位置するシース遠位先端部を備える。シース遠位先端部は、剛性が異なる近隣の（adjacent）領域よりも剛性が高い。
【０００９】
実施形態は、血管内にカテーテル導入システムを位置決めする方法にも関する。
【００１０】
添付の図面は、本開示を理解しやすくするために組み込まれ、本明細書の一部を構成し、本開示で説明する原理を説明するための記載と共に本明細書に記載の実施形態を例示するものである。
【図面の簡単な説明】
【００１１】
【図１】図１は、様々な実施形態に係るシステムの断面図である。
【図２】図２Ａ〜Ｅは、様々な実施形態に係るコアの側面図である。
【図３】図３は、一実施形態に係るカテーテル導入システムの遠位領域の側面図である。
【図４Ａ】図４Ａは、一実施形態に係るカテーテル導入システムの遠位領域の側面断面図である。
【図４Ｂ】図４Ｂは、図４Ａのカテーテル導入システムのダイレーターとシースの接続部の拡大側面断面図である。
【図４Ｃ】図４Ｃは、図４Ａのカテーテル導入システムのダイレーター先端部の拡大側面断面図である。
【図５】図５は、一実施形態に係るカテーテル導入システムの側面図である。
【図６】図６は、一実施形態に係るシースの側面図である。
【図７Ａ】図７Ａは、一実施形態に係る、血管内のカテーテル導入システムの断面図である。
【図７Ｂ】図７Ｂは、一実施形態に係る、血管内のカテーテル導入システムの断面図である。
【図７Ｃ】図７Ｃは、一実施形態に係る、血管内のカテーテル導入システムの断面図である。
【図７Ｄ】図７Ｄは、一実施形態に係る、血管内のカテーテル導入システムの断面図である。
【図７Ｅ】７Ｅは、一実施形態に係る、血管内のカテーテル導入システムの断面図である。
【図７Ｆ】７Ｆは、一実施形態に係る、血管内のカテーテル導入システムの断面図である。
【図８】図８は、一実施形態に係るカテーテル導入システムを位置決めする方法のブロックフロー図である。
【図９】図９は、一実施形態に係るカテーテル導入システムを位置決めする別の方法のブロックフロー図である。
【発明を実施するための形態】
【００１２】
当業者であれば、本開示の様々な態様は、意図する機能を実行するように構成された任意の数の方法及び装置により具現化できることを容易に理解するであろう。換言すれば、意図する機能を実行するために、他の方法および装置も本明細書に組み込むことができる。本明細書で言及する添付図面は、必ずしも一定の縮尺で描かれておらず、本開示の様々な態様を例示するために拡大されていることもあり、その点で当該図面は限定的に解釈されるべきではないことに留意すべきである。
【００１３】
本明細書に示す実施形態は、大腿静脈から主肺動脈への経静脈的アクセスを可能にしつつ、蛇行血管を介したアクセスを伴ういかなる状況でも適用可能なダイレーターおよびカテーテル導入システムに関する。ダイレーターシステムのいくつかの実施形態は、ダイレーターと、該ダイレーターに所定のカーブを与えるように動作可能な１つまたは複数のコアを備える。いくつかの実施形態では、ダイレーターのダイレーター管腔に挿入し、ダイレーター遠位端内で１つまたは複数のカーブをつくるかまたはカーブを変化させるように動作可能な１つまたは複数のコアを利用する。
【００１４】
更に、ダイレーターと、該ダイレーターに沿って縦走可能なカテーテル導入システムのシースに所定のカーブを与えるように動作可能な１つまたは複数のコアとを備える前記カテーテル導入システムの実施形態を提供する。
【００１５】
更に、カテーテル導入システムのシースの実施形態は、シース遠位端の他の部分よりも比較的剛性が高い前記シース遠位先端部を備えるよう設けられる。シース遠位先端部の剛性が高いと、そのシース遠位先端部がコアにより誘導されたカーブを縦走する際にシース遠位先端部の楕円化が抑えられて、血管の損傷を防ぐ。
【００１６】
本明細書中で使用される場合、「血管」は、血管系の構成要素のみならず、心臓を含む心血管系にて血液を通すいかなる管のことも指す。
【００１７】
本明細書中で使用される場合、「蛇行」血管とは、通常、狭くなっているおよび/または血管の経路によって逆向きに屈曲しているため体腔内用デバイスを前進させるのが特に困難な血管を指す。特に蛇行血管を縦走する処置の一例として、主肺動脈への経静脈的なアクセスを大腿静脈から行うことが望ましい場合がある。
【００１８】
本明細書中で使用される場合、「ダイレーター」は、身体の部分、例えば血管、体腔、管、または開口部を拡張またはストレッチするのに使用し得る細長い管状部材を指す。ダイレーターは、シースを血管内部へまたは血管を通して導入および案内するのに使用してもよい。本明細書に提示する構成では、ダイレーターはシースよりも比較的剛性が低い。
【００１９】
本明細書中で使用される場合、「管腔（lumen）」は、縦長の空洞または管状部材の縦軸に沿った貫通孔を指す。管腔は、例えば、ダイレーター、シース、またはコア等の部材の軸長さ方向に、部分的に、完全に、または実質的に延伸し得る。
【００２０】
本明細書中で使用される場合、「アセンブリ」または「導入アセンブリ」は、カテーテル導入システムの構成要素、例えば、ダイレーター、シース、ガイドワイヤ、コア、の２つ以上の組み合わせを指す。
【００２１】
本明細書中で使用される場合、「形」は、所定のパターン、形状、曲率、または角度に形成された要素を指す。コアまたはダイレーターは、特定の形状またはパターンに沿うまたは追従するような形状とすることができる。コアまたはダイレーターは、１つまたは複数の平面的および/または三次元的な構成のカーブを含んでもよい。また、コアを直線状にして、専ら所望のレベルの剛性をシステムに付与するために使用してもよい。
【００２２】
本明細書中で使用される場合、「コア」は、所望の形状および/または剛性をダイレーターに付与するために、ダイレーター管腔内に収納することが可能な細長い管状部材を指す。コアは、カーブを形成し支持することが可能な任意の材料、例えば（但し、これに限定されない）金属、熱可塑性物質、または成形材料、または熱硬化性材料などで製作できる。ナイロンは、コアを形成するのに使用できる材料の例である。ステンレス鋼およびニチノールは、コアを形成するのに使用できる金属の例である。
【００２３】
本明細書中で使用される場合、「シース」は、カテーテル等の医療デバイスを体内に導入するための案内経路または導管を提供するために動作可能で、ダイレーターよりも比較的剛性の高い細長い管状部材を指す。ダイレーター沿いに前進するシースを利用するシステムを使用することが多い。シースを、ダイレーターの補助により、体内で位置決めすることもある。
【００２４】
本明細書中で使用される場合、「カーブ」および「曲率」は、例えばコアまたはダイレーターなどの部材の形状、外形、または半径を指す。構成要素のカーブは、１つまたは複数の平面的および/または三次元的な構成に形成してもよく、各構成要素（例えば、ダイレーターまたはコア）は、カーブが無くてもよく（直線状）、あるいは１つまたは複数のカーブを含んでもよい。
【００２５】
本明細書中で使用される場合、「屈曲」は、血管、臓器、または他の体腔により画定された経路の方向が変わることを指す。
【００２６】
本明細書中で使用される場合、「剛性」は、屈曲に抵抗する構成要素の特性を指す。コアは、システムを構成する個々の構成要素の剛性に比べ高い剛性を該システムに設けるために使用してもよい。例えば、比較的剛性の低いダイレーターのダイレーター管腔内に比較的剛性の高いコアを前進させると、そのダイレーター自体よりも高い剛性を有するコア/ダイレーターアセンブリが設けられる。
【００２７】
本明細書中で使用される場合、「ガイドワイヤ」は、身体の血管または体腔を通って前進可能なワイヤまたは小径の細長い部材を指す。
【００２８】
本明細書中で使用される場合、「遠位」は、元々の地点または接触点から離れて位置する領域または場所を指す。
【００２９】
本明細書中で使用される場合、「近位」は、元々の地点または接触点に近隣または近くに位置する領域または場所を指す。
【００３０】
本明細書中で使用される場合、「先細」は、構成要素の長さに沿った物理的な寸法の変化を指す。
【００３１】
本明細書中で使用される場合、「細長い」は、長さ方向が延伸する領域を指す。
【００３２】
本明細書中で使用される場合、「放射線不透過性マーカー」は、少なくとも、X線技術を利用して位置をモニターする目的のために、X線または他の電磁線の通過に対し抵抗性のある構成要素を指す。
【００３３】
本明細書中で使用される場合、「交換可能に」は、2つ以上の構成要素が類似の位置または機能を互いに交換可能であることを指す。例えば、２つ以上のコアは、ダイレーターに異なるカーブを付与するためにダイレーター内で交換可能であり得る。
【００３４】
図１は、実施形態に係る様々なシステムの拡大断面図である。ここで、これらのシステム全て、システムダイレーター103およびコア102を備えるが、ガイドワイヤ112およびシース113といった追加要素は備える場合と備えない場合がある。本明細書に記載のいくつかの実施形態では、ダイレーター103およびコア102を設けてダイレーターシステム100として一緒に使用する。ダイレーター103およびコア102は、さらに大きなシステムの一部であってもよく、シース113を使用しやすくするために用いてもよい。ここで、シース113は、ダイレーター103およびコア102を備えるダイレーターシステム100の一部として設けても設けなくてもよい。また、ガイドワイヤ112は、設けても設けなくてもよく、またシステムの一部として用いても用いなくてもよい。共通の要素としてダイレーター103およびコア102を備えるシステムの様々な組み合わせを以下に示す。
【００３５】
図１は、一実施形態に係るコア102およびダイレーター103を備えるダイレーターシステム100の拡大断面図である。コア102は、後述するように、ダイレーター103内で前進するように動作可能な細長い管状部材である。ダイレーター103は、その内部にコア102を収納し、かつ、コア102を少なくとも部分的にダイレーター103内部で前進させるよう動作可能な細長い管状部材である。後述するように、ダイレーター103に特性を付与するよう動作可能な実施形態では、異なる特性を有する１つまたは複数のコア102を設けてもよい。
【００３６】
図１は、一実施形態に係るダイレーターシステム100およびシース113を備えるカテーテル導入システム200の拡大断面図でもある。シース113は、シース近位端110および当該シース近位端110と反対側のシース遠位端107を有する細長い管状部材である。シース113は、シース近位端110からシース遠位端107へと延伸するシース管腔116を更に備える。シース管腔116は、その内部にダイレーター103を摺動的に収納し、シース113をダイレーター103に沿って前進させるよう動作可能な直径を画定する。
【００３７】
図１は、一実施形態に係るカテーテル導入システム200およびガイドワイヤ112を備えるカテーテル導入ガイドワイヤシステム300の拡大断面図でもある。ガイドワイヤ112は、蛇行血管を縦走するように動作可能な細長い部材である。ガイドワイヤは、当該分野で周知である。後述するように、コア管腔111を備えるコア102は、ガイドワイヤ112に沿って前進するように動作可能である。また、後述するように、ダイレーター管腔106を備えるダイレーター103は、ガイドワイヤ112に沿って前進するように動作可能である。
【００３８】
図１は、一実施形態に係るダイレーターシステム100およびガイドワイヤ112を備えるダイレーターガイドワイヤシステム400の拡大断面図でもある。ガイドワイヤ112は、蛇行血管を縦走するように動作可能な細長い部材である。後述するように、コア管腔111を備えるコア102は、ガイドワイヤ112に沿って前進するように動作可能である。また、後述するように、ダイレーター管腔106を備えるダイレーター103は、ガイドワイヤ112に沿って前進するように動作可能である。
【００３９】
ダイレーターシステム
ダイレーターシステム100を以下に説明する。図１の実施形態では、ダイレーターシステム100は、コア102およびダイレーター103を備える。コア102は、ダイレーター103が血管の屈曲部を通過しやすくするために、ダイレーター103と協同的に係合（cooperative engage）して用いられる。
【００４０】
ダイレーター103は、ダイレーター近位端105および該ダイレーター近位端105と反対側のダイレーター遠位端104を有する細長い管状部材である。ダイレーター103は、その内部にダイレーター近位端105からダイレーター遠位端104へと延伸するダイレーター管腔106を更に含む。ダイレーター管腔106は、その内部にコア102を摺動的に収納し、かつ、コア102をダイレーター管腔106内で少なくとも部分的に前進できるよう動作可能な直径を画定する。
【００４１】
例として、一実施形態では、ダイレーター103は、約0.5mm〜約4mm、約2mm〜約3mm、または約2.5mm〜約2.90mmの直径を有するダイレーター管腔106を備える。
【００４２】
ダイレーター103は、例えば、熱可塑性物質（但し、これに限定されない）等の特定の目的に適切な任意の材料から製造してもよい。ダイレーター103は、血管を拡張するのに十分な剛性であるが、血管を損傷したり又は血管の屈曲部内においてコア102による案内ができなくなるほど高い剛性ではない材料特性を備える。
【００４３】
ダイレーター103の側面図を示す図３のように、ダイレーター遠位端104は、ダイレーター遠位先端部310を含んでもよい。ダイレーター遠位先端部310は、ダイレーター遠位端104と一体的な構成要素であってよく、またはダイレーター遠位端104に連結（couple）される構成要素であってもよい。ダイレーター遠位先端部310は、先細であってもよい。一実施形態では、ダイレーター遠位先端部310は、コア102の直径よりも小さい直径を備えるダイレーター先端部の管腔を画定することにより、コア102がダイレーター遠位先端部310から飛び出ないようになっている。図４Ａおよび４Ｃに示すように、ダイレーター遠位先端部310の管腔も、コア102の直径よりも小さい直径になるよう先細にして、コアがダイレーター遠位先端部310から飛び出ないようにすることで、コア102が血管を傷つけないようにしてもよい。
【００４４】
ダイレーター103は、任意の適切なプロセスによって形成してもよく、このようなプロセスとして例えば押出が挙げられるがこれに限定されない。ダイレーター遠位先端部310も任意の適切なプロセスによって形成してもよく、このようなプロセスとして射出成形が挙げられるがこれに限定されない。ダイレーター遠位先端部310およびダイレーター遠位端104は任意の適切なプロセスによって接合してもよく、このようなプロセスとしては熱的および化学的な接着が挙げられるがこれらに限定されない。図４Ａおよび４Ｃに示すように、ダイレーター遠位先端部310をダイレーター遠位端104に連結することにより、ダイレーター遠位先端部310がコア102の直径よりも小さい直径を有する先細の管腔を有するようにしてもよい。ダイレーター遠位先端部310は、任意の適切なプロセスによってダイレーター遠位端104と一体的な部品として形成してもよく、このようなプロセスとして研削が挙げられるがこれに限定されない。
【００４５】
いくつかの実施形態では、ダイレーター遠位先端部310は、約1cm〜約10cm、約3cm〜約8cm、または約4cm〜約7cmの長さを有する。以下に説明するように、ダイレーター遠位先端部310は、より良好にコア102に適合できるよう、そして、細長いダイレーター遠位領域308と連動して動作できるよう細長くてもよい。ダイレーター遠位先端部310は、先細であってもなくてもよいが、殆どの実施形態では、血管203が段差や縁部に触れないように、ダイレーター遠位先端部312の外径を先細にして、ダイレーター遠位先端部310の管腔がコア102の外径より小さい直径になるよう先細にして、コア102がダイレーター遠位先端部310から飛び出て血管を損傷する可能性を防ぐようになっている。
【００４６】
ダイレーター103は、放射線不透過性マーカー、例えば、該ダイレーター103に結合させた要素（但し、これに限定されない）を備えてもよく、または当該構成体にドーピング材料、例えば（但し、これに限定されない）硫酸バリウムを組み込んでもよい。
【００４７】
図１を参照し、コア102は、コア近位端108および当該コア近位端108と反対側のコア遠位端109を有する細長い管状部材である。コア102は、その内部にコア近位端108からコア遠位端109へと延伸するコア管腔111を更に備える。コア管腔111は、その内部にガイドワイヤ112を摺動的に収納し、かつ、コア102がガイドワイヤ112に沿って前進できるよう動作可能な直径を画定する。コア102は、ダイレーター管腔106内に摺動的に収納され、かつ、コア102がダイレーター管腔106内を少なくとも部分的に前進できるよう動作可能な外径を画定する。
【００４８】
コア管腔111を備える細長い管状部材としてコア102を示すが、ガイドワイヤ112または管腔に必要な他の部材を伴わないシステムや使用（例えば、潅注、但しこれに限定されない）のために、コア102は管腔を有さない細長い部材であってもよいことが理解される。以下に示す実施形態の説明では、コア102はコア管腔111を備えるが、これに限定されない。ほとんどの用途では、ガイドワイヤ112は、ダイレーター103およびコア102を備えるシステムと共に、またはその一部として使用される。例として、一実施形態では、コア管腔111は、約0.38mm〜約1.3mmの直径を有し得ることが理解される。
【００４９】
図２Ａ〜５Ｅは、異なるコアカーブ118a〜eを画定するコア遠位端109a〜eをそれぞれ有する５つのコア102a〜eの側面図を示す。図２Ａは、直線的なコアカーブ118aを画定する遠位端114aを有する第１コア102aを示す。第１コア102aは、実質的に直線的な構成のダイレーター103を支持するため、および/またはダイレーター103を血管内で前進しやすくすることができるように該ダイレーター103に剛性を付与するために用いてもよい。
【００５０】
図２Ｂ〜Ｅは、異なるコアカーブ118b〜eを画定するコア遠位端114b〜eをそれぞれ有する第２、第３、第４、および第５コア102b〜eの側面図を示す。コアカーブ118b〜eは、平面的または三次元的な構成であってもよい。コアカーブ118b〜eは、例えば、約5mm〜約100mmの曲率半径（但し、これに限定されない）を画定しうる。いくつかの実施形態では、各コア102は、１つまたは複数の曲率半径を有する複数のコアカーブ118を備えてもよい。コアカーブ118は、血管内の屈曲部をトラックするために、ダイレーター103を支持する特定の目的に適切な任意の形状を画定してもよいことが理解される。コアカーブ118は、一定の半径を画定しなくてもよく、異なる平面上の様々な半径からなる複合的なカーブであってもよい。
【００５１】
コア102は、特定の目的に適切な任意の材料、例えば（但し、これに限定されない）熱可塑性物質や金属、例えば（但し、これに限定されない）ステンレス鋼やニッケルチタン合金から作製してもよい。コア102のコアカーブ118は、特定の材料に適切な任意の加工、例えば、熱成形硬化（thermal shape-setting）や成形（molding）により形成してもよいがこれに限定されない。
【００５２】
一実施形態では、コア102は、当該技術分野で公知のカテーテルを操舵するためのアクティブステアリング機構を利用することなどにより操舵可能（steerable）なタイプのものであってもよい。
【００５３】
一実施形態では、１つまたは複数の放射線不透過性マーカーは、コア102に結合させてもよくまたは一体化させてもよい。例えばX線技術による画像化の際にコア遠位端109の場所を同定するために、放射線不透過性マーカーをコア遠位端109付近またはコア遠位端109上に位置させてもよい。
【００５４】
ダイレーター103は、例えば、血管内部にカテーテルまたはシースを確実に収容できるようにするという目的（但し、これに限定されない）のために、血管の狭窄部を拡張（dilate）（拡大（enlarge））するように動作可能である。一実施形態では、操作時に血管を通してダイレーター遠位端104を前進させる。血管の狭窄部では、ダイレーター103は、血管の直径部との接触が付勢され、血管の直径が拡張される。
【００５５】
血管が屈曲を示す場所において、ダイレーター遠位端104は、トラックミスする（mistrack）、つまり、屈曲部の経路に沿わないことがある。ダイレーター遠位端104が屈曲部をトラックするのを補助するために、コア102をダイレーター近位端105からダイレーター管腔106内に挿入して、ダイレーター103がトラックミスをしやすい場所であるダイレーター遠位端104まで前進させる。コア遠位端109は、ダイレーター遠位端104が血管の屈曲部を通る方向に向けて適切なカーブを有するように動作可能な所定のカーブを備える。コア102は、ダイレーター遠位端104から出る必要はない。コア102の剛性がダイレーター103の剛性よりも相対的に高いと、ダイレーター遠位端104が、コア遠位端109により与えられたカーブに沿って屈曲部内へと向かうよう方向づけやすくなる。ダイレーター遠位端104が屈曲部を越えると、コア遠位端109により画定されたコアカーブ118が屈曲部内に位置することになる。コア102がダイレーター103を案内しつつ、ダイレーター103がコア102に沿って前進し屈曲部を通り抜る間、コア102を所定の位置に保持してもよい。
【００５６】
多くの場合、血管を拡張する処置は、コア遠位端109に、特定のコアカーブ118を有する１つのコア102を必要とするであろう。他の場合、ダイレーター103を前の屈曲と同じではない屈曲となる血管内の次の後続する屈曲部まで前進させてもよい。ダイレーターシステム100は、コア102をダイレーター103から取り外して、異なるコアカーブ118を有する次のコア102を前進させダイレーター遠位端104が当該屈曲部を越えるようにし、この方法を繰り返してダイレーター103が後続する屈曲部を前進するようにしてもよい。
【００５７】
図３および４Ａに示すように、ダイレーター遠位端104は、ダイレーター遠位先端部310を終端とし外径が小さくなる先細部（taper）を画定する。図４Ａは、ダイレーター103の断面図を示す。先細部になっていることにより、とりわけ、ダイレーター遠位端104の先細部ではない部分よりもダイレーター遠位端104の相対的な剛性が低くなる。ダイレーター103の先細部ではない部分は、コア102よりも相対的な剛性が低いが、後述するように、ダイレーター103が血管によって支持される場合、または、シースを用いる実施形態ではダイレーター103がシースによって支持される場合、コア遠位端109により画定されるコアカーブ118は、ダイレーター103の先細部ではない部分の内部におけるダイレーター管腔106へ挿入されるときに、実質的に直線状になる。
【００５８】
図４Ａおよび４Ｃに示すように、ダイレーター遠位先端部310の管腔もまた、コア102の直径よりも小さい直径になるように先細になっており、コアがダイレーター遠位先端部310から出ないようにして、コア102がダイレーター遠位先端部310から飛び出て血管を損傷することがないようにしている。一実施形態では、ダイレーター遠位先端部310が、コア102の直径よりも小さい直径を有するダイレーター先端部の管腔を画定することによって、コア102がダイレーター遠位先端部310から飛び出ないようにしている。
【００５９】
ダイレーター遠位端104およびコア102をアセンブリとして屈曲部内へと前進させるとき、つまり、コア102がダイレーター遠位端104内にあるとき、ダイレーター遠位端104はもはや血管によって支持されておらず、剛性が不十分かつコア遠位端109を実質的に直線状の構成に保持する外側の支持を有さないので、コア遠位端109によりダイレーター遠位端104へカーブが付与される。そして、ダイレーター遠位先端部310が血管の屈曲部の方向へ向けられる。ダイレーター遠位先端部310が屈曲部を縦走したら、コア102沿いに屈曲部を通ってダイレーター103を前進させる際にコア102のコアカーブ118により血管の屈曲部に実質的に相当するカーブをダイレーター103へ与えるようにしつつ、コア102を所定の位置に保持してもよい。
【００６０】
ある実施形態では、様々な所定のコアカーブ118を画定する複数のコア102を動作可能に設けて、ダイレーター103が血管の屈曲部を縦走するのに適切なカーブをダイレーター103に付与するようにしてもよい。一実施形態では、ダイレーターシステム100は、ユーザが特定のコアカーブ118の形状とするように動作可能な１つのコア102を備えてもよい。一実施形態では、ダイレーターシステム100は、各々が異なるコアカーブ118を画定する複数のコア102または複数のコアカーブ118のうちのひとつを備え、ユーザが処置の前に選択できるようにしてもよい。一実施形態では、ダイレーターシステム100は、各々が異なるコアカーブ118を画定する複数のコア102を備え、ユーザが処置の間に選択できるようにしてもよい。血管内で解剖学的に異なる屈曲部に遭遇したとき、複数のオプションをユーザに与えるために様々なコア102をキットとして設けてもよい。使用するコア102の数およびタイプは、個々の患者の解剖学的な構造や体内でとる経路に依存しうる。更に、ダイレーターシステム100は、上述のいくつかの実施形態に係るコア102を組み合わせて備えてもよい。
【００６１】
コア102のコアカーブ118の寸法は、ダイレーター管腔106内で位置決めする際に、ダイレーター103の固有の剛性がコア102に付されることで変化し得る。ダイレーター管腔106外のコア遠位端109のコアカーブ118の寸法と、ダイレーター管腔106内にあるときのコア102のコアカーブ118の寸法が異なる場合もあり、ユーザが血管内の特定の屈曲部に対応するコアカーブ118を有するコア102を選択する際にこの差異を調製できるようにしてもよい。
【００６２】
カテーテル導入システム
再び図１を参照し、ダイレーターシステム100および シース113を備えるカテーテル導入システム200について以下に説明する。図5は、一実施形態に係るカテーテル導入システム200がアセンブルされた状態を示す側面図である。シース113は、ダイレーターシステム100の補助により血管内に位置するように動作可能である。シース113が血管内の適切な位置についたら、カテーテルを血管内へ導入するための導管となるようシース113を残したままダイレーターシステム100をシース113から引き抜く。
【００６３】
シース113は、シース近位端110および当該シース近位端110と反対側のシース遠位端107を有する細長い管状部材である。シース113は、シース近位端110からシース遠位端107へと延伸するシース管腔116を更に備える。シース管腔116は、その内部にダイレーター103を摺動的に収納し、シース113をダイレーター103に沿って前進させるよう動作可能な直径を画定する。一実施形態では、シース113は、約1mm〜約10mm、または約4mm〜約8mmの直径を有する。
【００６４】
ダイレーター103は、より大きな直径のシース113前進させるために血管の狭窄部を拡張（dilate）（拡大（enlarge））させるのに使用してもよい。ダイレーターシステム100は、狭窄血管を拡張させるために使用してもよいが、追加的にまたは代替的に、ダイレーターシステム100はシース113が血管内部で前進するのを補助するために使用してもよい。また、ダイレーター103は、血管を必ずしも拡張させなくとも単にシース113が血管を通り前進するためのガイドとして使用してもよい。一実施形態では、ダイレーター103を血管内で前進させた後、ダイレーター103がシース113をガイドしつつ、シース遠位端107をダイレーター近位端105に沿って前進させ、ダイレーター103に沿いにダイレーター遠位端104へ向かって前進させてもよい。別の一実施形態では、ダイレーター103が血管内に入る前に、シース遠位端107をダイレーター近位端105に沿って前進させて、ダイレーター遠位端104の少なくとも一部に沿って前進させてもよい。言い換えれば、図5に示すように、シース113は、使用前にダイレーター103を少なくとも部分的に前進できればよい。
【００６５】
シース遠位端107がダイレーター103をトラックするのを補助するために、コア102をダイレーター近位端105からダイレーター管腔106内で前進させて、シース113がトラックミスをしやすい場所であるダイレーター遠位端104まで前進させる。コア遠位端109は、ダイレーター遠位端104にカーブを付与して支持を与えるように動作可能な所定のコアカーブ118を備える。シース遠位端107を血管の屈曲部内で適切に支持しガイドするために、ダイレーター103とそれを支持するコア102との組み合わせにより、ダイレーター遠位端104がこれに沿って前進するシース113の影響により直線状になるのを実質的に阻止すべく、コアカーブ118に十分な剛性を与えるようにしてもよい。
【００６６】
ダイレーター遠位端104内のコア102の剛性がシース133の剛性よりも相対的に高いと、シース113がコアカーブ118に沿って前進するときに、シース遠位端107はコア遠位端109により押されカーブに沿いやすくなる。コア102の剛性をダイレーター103の剛性よりも高くなるように選択して、ダイレーター遠位端104が屈曲部の内部またはこれを通り抜けて案内する、またはシース遠位端107がコアカーブ118に沿いつつ屈曲部に通して案内するいずれかまたは両方に十分な特定のカーブ構成で、コア102がダイレーター遠位端104を支持できるようにする。一実施形態では、コア102およびダイレーター103を組み合わせた剛性は、シース113の剛性より高くなるよう動作可能である。
【００６７】
コア遠位端109のコアカーブ118は、少なくとも部分的に抑制される、つまり、コア遠位端109はシース113を通り抜けるとき少なくとも部分的に直線状になる。コア遠位端109がシース113の制限から外れると、コア遠位端109のコアカーブ118が実質的に表れる。シース113は、コア102によって支持されるダイレーター遠位端104の付与されたカーブ沿いにトラックすることができないほど剛性が強くてはならない。
【００６８】
一実施形態では、ダイレーター遠位端104内のコア遠位端109のコアカーブ118が血管の屈曲部に位置したら、コア102がダイレーター遠位端104およびシース遠位端107を屈曲部に通すように案内しつつ、ダイレーター103およびシース113がコア102沿いに屈曲部を通って前進する間、コア102を所定の位置に保持してもよい。
【００６９】
別の一実施形態では、コア遠位端109のコアカーブ118が血管の屈曲部内に残しつつ、ダイレーター遠位端104がコア102のコアカーブ118沿いに前進し屈曲部を越えたら、シース113をダイレーター103沿いに屈曲部に通すよう前進させつつダイレーター103およびコア102を所定の位置に保持する。
【００７０】
シース113は、壁厚が比較的薄く、シース113が血管203を通ってトラックできるよう十分低い剛性を有する。図３、４Ａおよび４Ｂでは、シース113は、ダイレーター103との接続部まで先細になっているシース遠位先端部306を備え、とりわけ、ダイレーター103とシース113との間を滑らかに移動できるようになっている。シース113の剛性に依存して、シース遠位端107が、コア102のコアカーブ118によって支持されるダイレーター103によって画定されたカーブ沿いに縦走する際に、シース遠位先端部306には、楕円化（ovalization）と呼ばれる円形から楕円形への変形が起こることがある。楕円化は、ダイレーター103とのシース113間のギャップが拡がり、カーブ部沿いに前進する際にシース遠位端107の縁が血管を損傷しかねないことを示し得る。
【００７１】
一実施形態では、シース遠位先端部302は、シース遠位端107の他の部分の剛性より高い剛性を有する。シース遠位先端部302の剛性は、シース遠位先端部302に含まれる材料固有の性質、あるいは、例えば（但し、これに限定されない）補強バンド等のシース遠位先端部302に連結した要素により影響され得る。シース遠位先端部302は、シース遠位先端部302がカーブ部を縦走するのを大幅に妨害しないように十分に短いが、シース遠位先端部302を支持して顕著な楕円化を防ぐには十分に長い長さを画定する。一実施形態では、シース遠位先端部306の剛性が高い部分の長さは、約1mm〜約10mmであってもよい。
【００７２】
図４Ｂは、図４Ａの実施形態のシース遠位端107の拡大断面図である。シース遠位端107は、補強バンド304を備える。補強バンド304は、シース遠位端107において補強バンド304の近隣部の剛性よりも高い剛性を与えるよう動作可能である。補強バンド304は、シース遠位先端部302が血管の屈曲部を縦走するときに、シース遠位先端部302の楕円化を実質的に防止するように動作可能である。シース遠位先端部302がシース遠位端107のその他の部分の剛性よりも高い所定の剛性を有する場合、ダイレーター103とシース遠位端107がカーブ部にあるときにそれらの間に形成されうるいかなるギャップも実質的に生じないまたは約0.5mmよりも小さくすることができる。一実施形態では、シース遠位先端部306および補強バンド304は、約1〜約10mmの長さの剛性が高い部分を画定する。シース遠位先端部306は、シース113とダイレーター103間の移動が滑らかになるように先細であってもよい。
【００７３】
シース113は、X線画像における可視化を補助するための１つまたは複数の放射線不透過性マーカー312を備えてもよい。
【００７４】
図６は、実施形態に係る、剛性が異なる複数の領域を有するシース113の側面図である。シース113は、様々に剛性が異なる領域を２つまたはそれ以上有し得る。一実施形態では、ユーザがシース113をシース近位端110から血管を通って前進させるのをより簡便に操作できるよう、高いデュロメータ硬さの材料または動作可能な特性を備える第１長L1を、シース近位端110により画定してもよい。シース113の１つまたは複数の中央部分115が、シース近位端110より低い剛性を有する材料または材料特性を備える第２長L2を画定し、これによりシース近位端110よりも柔軟になるようにしてもよい。例えば、Shore D基準での測定で、第１長L1のデュロメータ硬さは約30〜約45であり、第２長L2のデュロメータ硬さは約15〜約30であり得る。第１長L1および第２長L2は、約10cm〜約100cmであり得る。
【００７５】
シース近位端110より柔軟な中央部分115の利点は、中央部分115がコア102およびダイレーター103によりもたらされるカーブ形状をより取りやすくすることである。前述のように、ある実施形態では、第３長L3のシース遠位先端部306は、近隣する中央部分115よりもデュロメータ硬さまたは剛性が高く、楕円化を実質的に防ぐようになっている。例えば、シース遠位先端部306は、例えばShore D基準での測定で、約60〜約90のデュロメータ硬さを有し得る（但し、これに限定されない）。
【００７６】
図３は、一実施形態に係る、図５の実施形態と実質的に同じカテーテル導入システム200の遠位領域325の側面図である。ダイレーター103およびシース113は、ダイレーター遠位端104がシース遠位端107から所定の距離延伸するようにして細長いダイレーター遠位領域308を画定するようにアセンブルされる。細長いダイレーター遠位領域308は、コア遠位端109がそこに挿入されたときカーブを付与することができるよう適切な長さを有する。細長いダイレーター遠位領域308がないと、ダイレーター103は、比較的剛性のあるシース113の近隣部によりダイレーター遠位端104のカーブを画定するのを制限されることがある。様々な実施形態に適切な細長いダイレーター遠位領域308の長さは様々で、約5cm〜約35cm、約10cm〜約30cm、約12cm〜約17cm、または約8cm〜約12cm等が挙げられる。
【００７７】
細長いダイレーター遠位領域308の長さは、コア102と組み合わせてダイレーター103および/またはシース113の位置決めをする処置の間にユーザにより調整、操作、および一時的に静止するようにできる。後述するように、ダイレーター103およびシース113を一緒に連結して、例えばカテーテル導入システム200をアセンブリとして血管内で位置決めするときに、一時的にダイレーター103がシース113内で動かないようにしてもよい。
【００７８】
図４Ａは、図３および５の一実施形態に係る、カテーテル導入システム200の遠位領域325の断面図である。コア102のコア遠位端109は、ダイレーター遠位端104におけるダイレーター103のダイレーター管腔106内の少なくとも一部で位置決めされる。ダイレーター遠位端104の少なくとも一部は、シース遠位端107におけるシース113のシース管腔116内で位置決めされる。図４Ａおよび４Ｃに示すように、コア102は、ダイレーター管腔106内の実質的に遠位の位置、例えばダイレーター遠位先端部310の近接部まで前進させてもよい（ただしそこからは延伸はさせない）。
【００７９】
図６を再び参照すると、カテーテル導入システム600は、ダイレーター近位端105に連結したハブ602を更に備える。ハブ602は、カテーテル導入システム600を案内するためのハンドルとして使用してもよい。ハブ602は、ダイレーター103をシース113およびコア102のいずれかまたは両方と連結するよう動作可能であってもよい。図示するように、シース113がハブ602から遠位にあり、そして、シース113がダイレーター103沿いにダイレーター遠位端104に向かって摺動可能に前進するようにしてもよい。
【００８０】
別の一実施形態では、ダイレーター103とシース113間で相対的に動かないようにしてダイレーター103およびシース113を血管内で前進させるように、シース近位端110をハブ602と連結させてもよい。シース113をダイレーター103に連結させると、ダイレーター103とシース113を、例えば静止させて保持可能なコア102に沿って同時に前進させやすくなる。
【００８１】
一実施形態では、シース113を前進させつつダイレーター103内のコア102の位置を保持するように、コア102をダイレーター103に連結してもよい。連結は一時的であってもよく、例えば当該分野で公知のネジ、スナップ、または回転カプラーを用いて行ってもよい。ハブ602で構成要素を連結することは、例えば、1または複数の構成要素またはシステム全体を、血管を通して前進させる際のユーザの制御性やアセンブリの安定性をもたらし得る。
【００８２】
別の一実施形態では、コア102は、ユーザが利用する際にねじれ応答または回転を容易にするよう動作可能なダイレーター103の鍵構造と協調して係合する鍵式の構成要素を備えてもよい。このような協調的な鍵構造の例として、コア102とダイレーター103との間の係合を強めて安定性を高めるための相互的なオス/メスの畝/溝構造が挙げられるが、これに限定されない。
【００８３】
ガイドワイヤシステム
ダイレーターガイドワイヤシステム400およびカテーテル導入ガイドワイヤシステム300の実施形態では、ガイドワイヤ112は血管を最初に縦走するのに用いられ得る。ガイドワイヤ112のガイドワイヤ遠位端114を、血管を通って所望の場所に前進させる。比較的柔らかいガイドワイヤ遠位端114により、ガイドワイヤ112が複雑な血管の屈曲部を通って前進できるようにする。ダイレーター103のダイレーター遠位端104をガイドワイヤ近位端117沿いに前進させて、ガイドワイヤ112により案内される血管内を前進させてもよい。コア102を用いる場合、コア管腔111内にガイドワイヤ112を収納させながら、コア遠位端109をガイドワイヤ近位端117沿いに前進させてもよい。コア102がガイドワイヤ112沿いに前進する際、コア102もダイレーター管腔106内に収納しこの内部を前進させる。
【００８４】
コア102を使用していないときはガイドワイヤ112を引き抜き、使用する際にコア管腔111またはダイレーター管腔106へ挿入（再挿入）してもよい。同様に、コア102を引き抜き、使用する際にダイレーター管腔106へ挿入（再挿入）してもよい。
【００８５】
以下に、図１および５のカテーテル導入ガイドワイヤシステム300の使用方法の一実施形態を例示的に示す。この実施形態は、ダイレーターシステム100、カテーテル導入システム200、およびダイレーターガイドワイヤシステム400の使用方法の実施形態にも少なくとも部分的に当てはまる。図７Ａは、第１屈曲部1および第２屈曲部2を含む血管203の断面図である。この図では、ガイドワイヤ近位端117を血管203外部とアクセス可能にしつつ、ガイドワイヤ遠位端114を第１屈曲部1および第２屈曲部2を通して前進させる。ガイドワイヤ112により案内される第１屈曲部1を越えてダイレーター遠位端104をガイドワイヤ112沿いに前進させる。ダイレーター103が比較的柔軟なので、ダイレーター103はガイドワイヤ112に沿って実質的にトラック可能である。シース遠位端107をダイレーター近位端105沿いに前進させ、シース遠位端107が第１屈曲部1の手前に近隣するようにダイレーター103沿いに前進させる。
【００８６】
図７Ｂは、コア遠位端109のコアカーブ118が第１屈曲部1内にあるように、コア102のコア遠位端109をダイレーター管腔106内でガイドワイヤ112沿いに前進させた血管203の断面図である。よって、シース遠位端107が第１屈曲部1内でダイレーター103に沿ってトラックできるように、コア遠位端109はダイレーター遠位端104を支持する。コア102はダイレーター管腔106内に残り、ダイレーター遠位端104はシース遠位端107から延伸している。
【００８７】
図７Ｃは、シース遠位端107がダイレーター遠位端104の一部に沿ってコアカーブ118沿いに、第１屈曲部1を越えたところでかつ第２屈曲部2の手前まで前進させた血管203の断面図である。第２屈曲部2があまりにも蛇行しているので、コア102の支持を要しないと、ダイレーター遠位端104がガイドワイヤ112沿いに第２屈曲部2を通ってトラックできない。
【００８８】
図７Ｄは、ダイレーター遠位端104を、血管203内で第２屈曲部2の直前まで更に少し前進させた血管203の断面図である。同じコア102または異なるコアカーブ118を有する異なるコア102のいずれかを、ダイレーター103内に通してダイレーター遠位端104まで前進させる。コア遠位端109は、ダイレーター遠位端104を第２屈曲部2に向かうようなカーブにする方向づけを補助するコアカーブ118を画定する。ダイレーター遠位端104を第２屈曲部2内に侵入させ第２屈曲部2に通すために更に前進させる際、コアカーブ118が第２屈曲部2内で位置決めされるまで、コア遠位端109をダイレーター遠位端104と共にまたはその内部で前進させ、ダイレーター遠位端104を第２屈曲部2に更に向かうように方向づけてもよい。ダイレーター遠位端104が第２屈曲部2を縦断している間、コア遠位端109はダイレーター管腔106内に残る。コア102がダイレーター遠位端104から延伸してしまうと、コア遠位端109が比較的剛性の高い部材であるため、血管203を損傷しかねない。
【００８９】
図７Ｅは、ダイレーター遠位端104が第２屈曲部2を通り抜けた後の血管203の断面図である。同じコア102または異なるコアカーブ118を有する異なるコア102のいずれかを、ダイレーター103を通ってダイレーター遠位端104および第２屈曲部2まで前進させ、コア遠位端109により画定されるコアカーブ118が第２屈曲部2内にあるようにする。よって、シース遠位端107が第２屈曲部2内でダイレーター103沿いにトラックできるように、コアカーブ118はダイレーター遠位端104を支持する。
【００９０】
図７Ｆは、シース遠位端107がダイレーター遠位端104沿いに第２屈曲部2を越えて前進した血管203の断面図である。
【００９１】
図８は、一実施形態に係る、血管内でカテーテル導入システムを位置決めする方法のブロックフロー図800である。ガイドワイヤを、血管を通って前進させ、血管内の屈曲部を越えるように配置する（802）。ダイレーター遠位端を血管内でガイドワイヤの近位端に沿って前進させ、ガイドワイヤによって案内される屈曲部を越えるように位置決めする（804）。シースをダイレーターの近位端に沿って前進させ、屈曲部の近隣部まで前進させる（806）。コアカーブを画定するコアを、ダイレーターの管腔を通って、ガイドワイヤ沿いに前進させて屈曲部内にコアカーブを配置する（808）。屈曲部内のコアカーブの位置を保持しつつ、シースおよびダイレーターをコア沿いに前進させる（810）。
【００９２】
図９は、一実施形態に係る、血管内でカテーテル導入システムを位置決めする別の方法のブロックフロー図900である。ダイレーターの近位端を血管内の屈曲部の近隣部まで前進させて、ダイレーターを血管内で前進させる（902）。シースをダイレーターの近位端まで前進させ、ダイレーター遠位端の近隣部まで前進させる（904）。コアカーブを画定するコアを、ダイレーターの管腔内で前進させ、ダイレーター遠位端内で位置決めし、ダイレーター遠位端が実質的に屈曲部の方向にコアカーブの形状をとるようにする（906）。ダイレーターをコア沿いに屈曲部を通り抜け越えるように前進させる（908）。コアカーブをダイレーター内で前進させ、コアカーブを屈曲部内に配置する（910）。屈曲部内のコアカーブの位置を保持しつつ、シース遠位端およびダイレーターをコア沿いに屈曲部を越えて前進させる（912）。
【実施例】
【００９３】
50%低密度ポリエチレン(LDPE)(Westlake Chemical, Houston, TX)および50% Santoprene 281-73MED(ExxonMobil Chemical, Houston, TX)を含む細長い管状部材を押出してダイレーターを作製した。細長い管状部材は、6.66mmの外径および2.87mmの内径を有していた。同一の組成を有する成形した（molded）先細の先端部を作製し、細長い管状部材の端部に熱接着した。先細先端部のおおよその長さは、50mmであった。先細先端部は、遠位端で約1.2mmの直径を有していた。得られたダイレーターの全長は1.14mであった。ハブをダイレーターの近位端に接着した。ダイレーターの外表面に親水性コーティングを塗布した。
【００９４】
複数のコアを、材料Grilamid L25(EMS-Grivory, Sumter, SC) を含むチューブから作製した。チューブは1.27mmの内径および2.67mmの外径を有していた。コアの遠位端は、工具（tooling）を使用してカーブ構成に保持して150℃のオーブンで30分間加工した。コアは、室温まで冷却し工具から取り出し、ヒートセット形状を実質的に保持させた。コアは、遠位端で50mm半径のカーブを有していた。コアの全長は1.22ｍであった。
【００９５】
シースは、PEBAX 7233 SA01 MED（Arkema, King of Prussia, PA）を含み、他の部分よりもデュロメータ硬さが高い遠位先端部を有するように作製した。
【００９６】
上記のようにして作製したダイレーター、コア、およびシースは、本明細書に記載の特性を示した。
【００９７】
本実施形態において様々な改変および変更が本発明の精神または範囲から逸脱することなくなされ得ることが当業者には明らかであろう。したがって、本実施形態は、添付の特許請求の範囲およびその均等物の範囲内にある改変および変更点をも包含することを意図する。
【図１】
2019141607.tif 000003
【図２】
2019141607.tif 000004
【図３】
2019141607.tif 000005
【図４Ａ】
2019141607.tif 000006
【図４Ｂ】
2019141607.tif 000007
【図４Ｃ】
2019141607.tif 000008
【図５】
2019141607.tif 000009
【図６】
2019141607.tif 000010
【図７Ａ】
2019141607.tif 000011
【図７Ｂ】
2019141607.tif 000012
【図７Ｃ】
2019141607.tif 000013
【図７Ｄ】
2019141607.tif 000014
【図７Ｅ】
2019141607.tif 000015
【図７Ｆ】
2019141607.tif 000016
【図８】
2019141607.tif 000017
【図９】
2019141607.tif 000018
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
血管にアクセスするためのカテーテル導入システムであって、
前記カテーテル導入システムは、ダイレーター、コア、及びシースを備え、
前記ダイレーターは、ダイレーター近位端および該ダイレーター近位端と反対側のダイレーター遠位端を備える細長い管状部材であり、
前記ダイレーターは、その内部で前記ダイレーター近位端から前記ダイレーター遠位端へと延伸するダイレーター管腔を更に備え、
前記コアは、コア近位端および該コア近位端と反対側のコア遠位端を備える細長い管状部材であり、
前記コア遠位端は、カーブを画定するコアカーブを備え、
前記コアは、前記ダイレーターに曲率を付与する、前記ダイレーターの曲げ抵抗を変更する、またはそれらの組み合わせのために、前記ダイレーター管腔内において位置決めするように動作可能であり、
前記ダイレーター管腔は、その内部に前記コアを摺動的に収納し、かつ、該コアを該ダイレーター管腔内で少なくとも部分的に前進できるよう動作可能な直径を画定し、
前記シースは、シース近位端および該シース近位端と反対側のシース遠位端を備える細長い管状部材であり、
前記シースは、その内部で前記シース近位端から前記シース遠位端へと延伸するシース管腔を画定し、
前記シース管腔は、その内部に前記ダイレーターを摺動的に収納し、前記シースが該ダイレーター沿いに前進できるよう動作可能であり、
ここで、前記シースが、前記コアにより付与された前記ダイレーターの曲率に沿ってトラックするよう動作可能なように、該ダイレーターとそれを支持する該コアとの組み合わせにより前記コアカーブに十分な剛性を与える、
前記カテーテル導入システム。
【請求項２】
前記コアカーブは直線的である、請求項１に記載のカテーテル導入システム。
【請求項３】
前記コアカーブは平面的である、請求項２に記載のカテーテル導入システム。
【請求項４】
前記コアカーブは三次元的である、請求項２に記載のカテーテル導入システム。
【請求項５】
各々が異なる曲率半径を有する異なるコアカーブを画定する複数のコアを更に含む、請求項１に記載のカテーテル導入システム。
【請求項６】
前記１つまたは複数のコアカーブは、直線〜125mmの曲率半径を有する、請求項１に記載のカテーテル導入システム。
【請求項７】
前記コア遠位端は、ユーザによりカーブの形状とすることができる、請求項１に記載のカテーテル導入システム。
【請求項８】
前記コアは操舵可能である、請求項１に記載のカテーテル導入システム。
【請求項９】
前記コアは、熱可塑性物質および金属の１つまたは複数を含む、請求項１に記載のカテーテル導入システム。
【請求項１０】
前記コアは、ナイロンを含む、請求項９に記載のカテーテル導入システム。
【請求項１１】
前記コアは、ニチノールを含む、請求項９に記載のカテーテル導入システム。
【請求項１２】
前記コア、前記ダイレーター、および前記シースのうちの１つまたは複数は、１つまたは複数の放射線不透過性マーカーを更に備える、請求項１に記載のカテーテル導入システム。
【請求項１３】
前記１つまたは複数の放射線不透過性マーカーは、前記コア遠位端、前記コアカーブ、および前記コア近位端のうちの１つまたは複数に位置する、請求項１に記載のカテーテル導入システム。
【請求項１４】
前記ダイレーター管腔は、0.5mm〜5mmの直径を有する、請求項１に記載のカテーテル導入システム。
【請求項１５】
前記ダイレーター遠位端は、ダイレーター遠位先端部を更に備え、該ダイレーター遠位先端部は、1cm〜10cmの長さを有する、請求項１に記載のカテーテル導入システム。
【請求項１６】
前記ダイレーター遠位先端部は、前記コアの直径より小さい直径を有するダイレーター先端部の管腔を画定し、該コアが該ダイレーター遠位先端部から飛び出ないようになっている、請求項１５に記載のカテーテル導入システム。
【請求項１７】
前記ダイレーターは前記コアに連結されている、請求項１に記載のカテーテル導入システム。
【請求項１８】
前記ダイレーター近位端に連結したハブであって前記コアと連結するように動作可能である前記ハブを更に備える、請求項１７に記載のカテーテル導入システム。
【請求項１９】
前記コアおよび前記ダイレーターは、ユーザが利用する際にねじれ応答を容易にするよう動作可能な協調的な要素（cooperative element）を更に備える、請求項１に記載のカテーテル導入システム。
【請求項２０】
前記協調的な要素は、鍵構造である、請求項１９に記載のカテーテル導入システム。
【請求項２１】
前記鍵構造は、相互的なオス/メスの畝/溝構造を備える、請求項２０に記載のカテーテル導入システム。
【請求項２２】
前記ダイレーター遠位端を血管の屈曲部に通して案内するのに十分な特定のカーブ構成で前記コアカーブが前記ダイレーター遠位端を支持できるように、前記コアの剛性が前記ダイレーターの剛性よりも高い、請求項１に記載のカテーテル導入システム。
【請求項２３】
前記シース遠位端を前記コアカーブに沿って血管の屈曲部に通して案内するのに十分な特定のカーブ構成で前記コアが前記ダイレーター遠位端を支持できるように、前記コアの剛性が前記ダイレーターの剛性よりも高い、請求項１に記載のカテーテル導入システム。
【請求項２４】
前記シース遠位端は、前記ダイレーターとの接続部まで先細になっているシース遠位先端部を備える、請求項１に記載のカテーテル導入システム。
【請求項２５】
前記シースは、剛性が異なる１つ又は複数の領域を備え、そして前記シース遠位先端部は、剛性が異なる近隣の領域より剛性が高い、請求項２４に記載のカテーテル導入システム。
【請求項２６】
前記シース遠位先端部は、該シース遠位先端部が血管内の屈曲部を縦走するのを大幅に妨害しないように十分に短いが、顕著な楕円化を防ぐべく前記シース遠位先端部を支持するには十分に長くなるよう1mm〜10mmの長さを画定する、請求項２４に記載のカテーテル導入システム。
【請求項２７】
前記シース遠位先端部は、補強バンドを備え、
前記補強バンドは、該補強バンドの近隣部の剛性よりも高い剛性を与えるよう動作可能であり、
前記補強バンドは、前記シース遠位先端部が血管の屈曲部を縦走するときに、該シース遠位先端部の楕円化を防止するように動作可能である、請求項２６に記載のカテーテル導入システム。
【請求項２８】
前記シース先端部は、Shore D基準での測定で、45〜90のデュロメータ硬さを有する、請求項２６に記載のカテーテル導入システム。
【請求項２９】
前記シース近位端は第１長を画定し、
前記シースは、前記シース近位端と前記シース遠位端との間に中央部分を更に画定し、
該中央部分は、前記第１長よりも低い剛性を有する第２長を画定し、
前記シース遠位端は、前記中央部分より高い剛性を有する第３長を画定する、
請求項２４に記載のカテーテル導入システム。
【請求項３０】
Shore D基準での測定で、第２長のデュロメータ硬さは30〜50であり、かつ、第３長のデュロメータ硬さは60〜90である、請求項２９に記載のカテーテル導入システム。
【請求項３１】
Shore D基準での測定で、第１長のデュロメータ硬さは40〜60であり、第２長のデュロメータ硬さは30〜50であり、かつ、第３長のデュロメータ硬さは60〜90である、請求項２９に記載のカテーテル導入システム。
【請求項３２】
第１長および第２長はそれぞれ10cm〜100cmの長さである、請求項３１に記載のカテーテル導入システム。
【請求項３３】
前記シースは、1mm〜10mmの直径を有する、請求項２３に記載のカテーテル導入システム。
【請求項３４】
前記細長いダイレーター遠位領域は、5cm〜12cmの長さを有する、請求項３３に記載のカテーテル導入システム。
【請求項３５】
前記ダイレーター遠位端は、前記シース遠位端から所定の距離延伸するように動作可能で、これにより細長いダイレーター遠位領域を画定し、該細長いダイレーター遠位領域は、前記コア遠位端が前記細長いダイレーター遠位領域に挿入されたときカーブを付与することができるよう5cm〜35cmの長さを有する、請求項１に記載のカテーテル導入システム。
【請求項３６】
前記ダイレーターは、前記コアおよび前記シースのうちの１つまたは複数に連結されている、請求項１に記載のカテーテル導入システム。
【請求項３７】
前記ダイレーター近位端に連結したハブであって前記コアおよび前記シースのうちの１つまたは複数と連結するように動作可能なハブを更に備える、請求項３６に記載のカテーテル導入システム。
【請求項３８】
前記コアは、その内部でコア近位端から前記コア遠位端へと延伸するコア管腔を更に備え、
該コア管腔は、その内部にガイドワイヤを摺動的に収納し、かつ、前記コアが該ガイドワイヤに沿って前進できるようするように動作可能な直径を画定する、請求項１に記載のカテーテル導入システム。
【外国語明細書】
2019141607000001.pdf